(57)【要約】【課題】格納槽等の内部の放射線環境下にある液体を確実に移送でき、放射性物質の外部への放出を抑えたポンプ装置及び放射性物質貯留システムを提供する。【解決手段】ポンプ装置２０ａは、内部空間を有するシリンダ２４と、このシリンダ２４の内部空間を第１室２１と第２室２２とに区画するとともにこの内部空間を移動するピストン２３と、第２室２２に連通する内部空間を有するカプセル２５と、このカプセル２５の外部から内部に向かう方向に液体を通過させる第１逆流防止装置３１と、カプセル２５の内部から外部に向かう方向に液体を通過させる第２逆流防止装置３２と、を備えている。【選択図】  図２
2016169693.tif 000002
【特許請求の範囲】
【請求項１】
外部空間と区画された内部空間を有するシリンダと、
このシリンダの前記内部空間の容積を変化させる容積可変手段と、
前記内部空間に連通し液体を収容可能な空間部と、
前記空間部の外部から内部に向かう方向に前記液体を通過させる第１逆流防止手段と、
前記空間部の内部から外部に向かう方向に液体を通過させる第２逆流防止手段と、を備えることを特徴とするポンプ装置。
【請求項２】
請求項１に記載のポンプ装置において、
前記内部空間は隔壁により前記外部空間と区画されることを特徴とするポンプ装置。
【請求項３】
請求項１に記載のポンプ装置において、
前記シリンダはピストンにより前記外部空間である第１室と前記内部空間である第２室に区画されることを特徴とするポンプ装置
【請求項４】
請求項３に記載のポンプ装置において、
前記第１室から気体を排出させる配管に設けられた排出弁と、
前記第１室に気体を入力させる配管に設けられた入力弁と、をさらに備えることを特徴とするポンプ装置。
【請求項５】
請求項３又は請求項４に記載のポンプ装置において、
前記シリンダは、前記排出弁及び前記入力弁を共に有するとともに前記空間部に並列に連通する第１シリンダと第２シリンダとから構成され、
第１シリンダ及び第２シリンダの各々は、前記空間部に接続する配管上に開閉弁を有することを特徴とするポンプ装置。
【請求項６】
請求項３に記載のポンプ装置において、
前記ピストンを前記シリンダの内で往復運動させる駆動手段を備えることを特徴とするポンプ装置。
【請求項７】
請求項３から請求項６のいずれか１項に記載のポンプ装置において、
前記第２室は液体を収容可能に構成されることを特徴とするポンプ装置。
【請求項８】
請求項３から請求項７のいずれか１項に記載のポンプ装置において、
前記シリンダを前記空間部に着脱自在に接続するコネクタをさらに備えることを特徴とするポンプ装置。
【請求項９】
請求項３から請求項８のいずれか１項に記載のポンプ装置において、
前記第２室と前記空間部との間に放射性物質を吸着させるフィルタが設けられていることを特徴とするポンプ装置。
【請求項１０】
放射線環境下にある放射能汚染液を貯留する格納槽と、請求項１から請求項７のいずれか１項に記載のポンプ装置とを備え、
前記格納槽に貯留された前記放射能汚染液を前記液体として前記第１逆流防止手段を介して前記空間部の内部に通過させるよう構成したことを特徴とする放射性物質貯留システム。
【発明の詳細な説明】
【技術分野】
【０００１】
本発明の実施形態は、液体のくみ上げを行うポンプ装置及びこのポンプ装置を適用した放射性物質貯留システムに関する。
【背景技術】
【０００２】
原子力発電所において、過酷事故などが発生した際に、格納容器から海などの最終ヒートシンクへの熱移送機能を失うと、原子炉格納容器の内圧が上昇する。
この原子炉格納容器の破損を防止するために、緊急措置として、放射性物質を含む気体の一部を外部に排出させるフィルタベントシステムが設置されている。
【０００３】
このフィルタベントシステムは、原子炉格納容器の外部に近接して設けられた格納槽の内部に、フィルタタンクを配置した構成を成している。
このフィルタベントシステムには、フィルタタンク内部に充填された放射能汚染水が漏洩し格納槽に滞留した場合を想定し、この汚染水を外部に排水するシステムの設置が要求される。
【０００４】
一般に、排水を行うためには、仮設又は常設のモータ駆動ポンプが用いられるが、水面位置が低い場合などに吸込み式のポンプを用いる場合などでは、ポンプの吸込み性能を示す（ＮＰＳＨ：Net Positive Suction Head）が確保できない場合もある。この場合投込み式のポンプなどを用いてＮＰＳＨを確保こともできるが、ポンプを駆動するモータは放射線環境下に置かれることとなるため、モータの固定子や回転子の絶縁部などの劣化速度が著しく大きく、モータの故障に繋がる虞がある。
【０００５】
このような放射線環境下にある汚染水等の液体を排水するための装置として、逆止弁を備える吸込水配管と吐出配管が接続されたタンクに、真空止弁を介した真空ポンプおよび、加圧止弁を介した空気圧縮機とが並列に接続される空気配管を接続し、真空ポンプにより一定期間タンク内に吸上げた液体を空気圧縮機により排水する技術が知られている。
【先行技術文献】
【特許文献】
【０００６】
【特許文献１】特開平９−２５９００号公報
【発明の概要】
【発明が解決しようとする課題】
【０００７】
上述の公知技術によれば、水面位置が低く吸込み式のポンプではＮＰＳＨを確保できない場合でも放射線環境下にある汚染水等の液体を放射線の影響の小さい位置から圧送することができるが、タンク内に液体を吸い上げる際に真空ポンプ等を介して放射性物質を含むガスが外部に放出される問題がある。
【０００８】
本発明の実施形態はこのような事情を考慮してなされたもので、格納槽等の内部の放射線環境下にある液体を確実に移送でき、放射性物質の外部への放出を抑えたポンプ装置及びこれを備える放射性物質貯留システムを提供することを目的とする。
【課題を解決するための手段】
【０００９】
本発明の実施形態にかかるポンプ装置は、外部空間と区画された内部空間を有するシリンダと、このシリンダの前記内部空間の容積を変化させる容積可変手段と、前記内部空間に連通し液体を収容可能な空間部と、前記空間部の外部から内部に向かう方向に液体を通過させる第１逆流防止手段と、前記空間部の内部から外部に向かう方向に液体を通過させる第２逆流防止手段と、を備えることを特徴とする。
【発明の効果】
【００１０】
本発明の実施形態により、格納槽等の内部の放射線環境下にある液体を確実に移送でき、放射性物質の外部への放出を抑えたポンプ装置及びこれを備える放射性物質貯留システムが提供される。
【図面の簡単な説明】
【００１１】
【図１】本発明の実施形態に係るフィルタベントシステム（放射性物質貯留システム）を示す構造図。
【図２】（Ａ）（Ｂ）は本発明の第１実施形態に係るポンプ装置の動作説明図。
【図３】（Ａ）（Ｂ）（Ｃ）（Ｄ）は本発明の第２実施形態に係るポンプ装置の動作説明図。
【図４】（Ａ）（Ｂ）（Ｃ）（Ｄ）は本発明の第３実施形態に係るポンプ装置の動作説明図。
【図５】（Ａ）（Ｂ）は本発明の第４実施形態に係るポンプ装置の動作説明図。
【図６】（Ａ）（Ｂ）は本発明の第５実施形態に係るポンプ装置の動作説明図。
【図７】（Ａ）（Ｂ）は第５実施形態に係るポンプ装置の変形例の動作説明図。
【発明を実施するための形態】
【００１２】
以下、本発明の実施形態を添付図面に基づいて説明する。ここでは、本実施形態のポンプ装置およびこれを備える放射性物質貯留システムをフィルタベントシステムに適用した例について説明する。
図１に示すように、実施形態に係る放射性物質貯留システム（フィルタベントシステム１０）は、原子炉格納容器１１と配管接続するフィルタタンク１２を内部に格納した格納槽１３を備えている。さらにこの格納槽１３の内部には、ポンプ装置２０が設けられている。
なお、実施形態において格納槽１３は、原子炉建屋１７の側面に隣接して設けられているが、格納槽１３の設置方法は特に限定されない。
【００１３】
原子炉格納容器１１は、核分裂の反応熱により冷却材を気化させる原子炉圧力容器１４及び一次冷却系（図示略）の全てを密閉状態で格納するものである。
これにより原子炉格納容器１１は、原子炉圧力容器１４又は配管（図示略）が破損した際に漏洩する高温高圧の蒸気の圧力障壁となるとともに放散する放射性物質に対する障壁としての役目を果たす。
【００１４】
サプレッションチャンバー１５は、常時、冷却水１６を保持しており、過酷事故の発生時に、高温高圧の蒸気を案内し冷却して液体に恐縮させ、原子炉圧力容器１４又は原子炉格納容器１１の内部圧力の上昇を抑制するものである。
【００１５】
フィルタベントシステム１０は、原子炉圧力容器１４の内部圧力の上昇が、サプレッションチャンバー１５やその他の設備の機能を駆使しても抑制することができない場合、この原子炉格納容器の破損を防止するために、緊急措置的に用いられるものである。
フィルタタンク１２は、その内部に水３７が保持されており、原子炉格納容器１１やサプレッションチャンバー１５の内部空間に基端が接続する配管１９（１９ａ，１９ｂ）の先端が水３７の内部で開放されている。
【００１６】
これら配管１９（１９ａ，１９ｂ）に設けられている常閉弁が、ベント開始を合図に開放されると、原子炉格納容器１１やサプレッションチャンバー１５内の放射性物質を含むガスが水３７内に放出される。
この放射性物質を含むガスは、フィルタタンク１２の保持水３７によりスクラビングされ、よう素等の放射性物質が大幅に除去され、浄化された後に大気中へ放出される。
【００１７】
一方において、フィルタタンク１２の保持水３７は、放射性物質が蓄積されていき、放射能汚染水となる。仮に過酷事故の影響で、フィルタタンク１２又はこれに接続する配管等が破損した場合、この放射能汚染水は、漏洩して格納槽１３の底部に滞留してしまう。
ポンプ装置２０は、このような放射能汚染水が格納槽１３の底部に滞留水３８として溜まってしてしまうような事態を想定して設置されるもので、この放射能汚染水を外部に排出させるものである。
【００１８】
（第１実施形態）
図２（Ａ）に示すように第１実施形態に係るポンプ装置２０ａは、内部空間を有するシリンダ２４と、このシリンダ２４の内部を外部空間である第１室２１と内部空間である第２室２２とに区画するとともにこのシリンダ２４内部を移動することで内部空間である第２室２２の容積を変化させる容積可変手段であるピストン２３と、シリンダ２４の内部空間である第２室２２に連通し放射能汚染水等の放射線環境下にある液体を収容可能な空間部である容器２５と、この容器２５の外部から内部に向かう方向に液体を通過させる第１逆流防止手段としての第１逆止弁３１と、容器２５の内部から外部に向かう方向に液体を通過させる第２逆流防止手段としての第２逆止弁３２と、を備えている。
これら第１逆止弁３１及び第２逆止弁３２は、順方向のみに液体の通過を許可し、逆方向への通過を禁止するものである。
ここで、空間部である容器２５は、タンクやカプセル等の容器のほか、配管をそのまま用いて配管の管路を空間部とすることも可能である。
【００１９】
さらに第１実施形態のポンプ装置２０ａにおいては、第１室２１から気体を排出させる配管に設けられた排出弁２６と、第１室２１に気体を入力させる配管に設けられた入力弁２７と、をさらに備えており、外部空間である第１室２１はシリンダ２４の外部の空間と直接的あるいは間接的に連通している。なお、本実施形態において外部空間である第１室２１は内部空間である第２室と区画されてさえいればよく、必ずしもシリンダ外部の空間と連通している必要はない。
【００２０】
この排出弁２６が設けられた配管の他端には真空装置（図示略）が接続され、入力弁２７の設けられた配管の他端にはコンプレッサが接続されている。
なお、後述する滞留水３８が、自重のみで容器２５の内部空間に進入することができる場合は、排出弁２６が設けられた配管の他端は大気開放としてよく、特に真空装置を設ける必要はない。
【００２１】
シリンダ２４は、格納槽１３の外側に設けられたコネクタ３３を介して着脱自在に接続される。なお、格納槽１３の底部に滞留水３８が存在していない場合、シリンダ２４は、コネクタ３３から外されて、別の場所に保管されている。そして、格納槽１３の底部に滞留水３８の存在が確認され、これをくみ上げる段取りになって初めて、シリンダ２４は、保管場所から移動されコネクタ３３に接続される。
【００２２】
シリンダ２４の第２室２２と容器２５の内部空間とを連通させる配管には、放射性物質を吸着させるフィルタ３４（図１）が設けられている。このフィルタ３４の作用によって、シリンダ２４の第２室２２に、放射能汚染物質が拡散するのが防止される。また、このフィルタ３４は、シリンダ２４と一体化して、コネクタ３３を介して着脱自在となっている。
【００２３】
容器２５には、コネクタ３３を介して第２室２２に連通する配管３５と、容器２５の外部から内部に向かう方向に液体を通過させる第１逆止弁３１が設けられている配管３６と、容器２５の内部から外部に向かう方向に液体を通過させる第２逆止弁３２が設けられている配管３９とが接続されている。
第１逆止弁３１の設置配管３６の反対端は、格納槽１３の底面の近傍に配置され、滞留水３８を残留させずにくみ上げることができるようにする。
第２逆止弁３２の設置配管３９の反対端は、格納槽１３の外側に配置され、滞留水３８を排出できるようにする。
【００２４】
図２（Ａ）に示すように、入力弁２７を閉止し排出弁２６を開放して第１室２１が減圧されるとピストン２３が上昇し、第２室２２を減圧する。この第２室２２の減圧に伴って、容器２５の内部空間も減圧され、格納槽１３の滞留水３８が第１逆止弁３１を通過して容器２５の内部に進入する。
次に、図２（Ｂ）に示すように、排出弁２６を閉止し入力弁２７を開放して第１室２１が加圧されるとピストン２３が下方向に移動し、第２室２２を加圧する。この第２室２２の加圧に伴って、容器２５の内部空間も加圧され、容器２５内の滞留水３８が第２逆止弁３２を通過して格納槽１３の外部に排出される。
【００２５】
以降、図２（Ａ）及び図２（Ｂ）の工程を繰り返すことにより、滞留水３８を格納槽１３から外にくみ上げることができる。
このように、第１実施形態のポンプ装置２０ａによれば、格納槽等の内部の放射線環境下にある液体を確実に移送でき、放射性物質の外部への放出を抑えることができる。また、滞留水３８の近傍にモータを設置することなく、この滞留水３８を格納槽１３からくみ上げることができる効果が得られる。
【００２６】
特に本実施形態においては、汚染水等の放射線環境下にある液体（放射能汚染液）を内部空間である第２室２２に導入しないため、滞留水３８の位置に対するシリンダ２４の位置を、吸込型のポンプではＮＰＳＨを確保できないような高い位置に設置することが可能である。
【００２７】
（第２実施形態）
図３（Ａ）に示すように第２実施形態に係るポンプ装置２０ｂにおけるシリンダ２４は、排出弁２６ａ，２６ｂ及び入力弁２７ａ，２７ｂを共に有するとともに容器２５に並列に連通する第１シリンダ２４ａと第２シリンダ２４ｂとから構成されている。
そして、これら第１シリンダ２４ａ及び第２シリンダ２４ｂの各々は、容器２５に接続する配管上に開閉弁４０ａ，４０ｂを有している。
なお、図３において図１と共通の構成又は機能を有する部分は、同一符号で示し、重複する説明を省略する。
【００２８】
図３（Ａ）に示すように、第１シリンダ２４ａ側の開閉弁４０ａを開放し第２シリンダ２４ｂ側の開閉弁４０ｂを閉止した状態で、１シリンダ２４ａの入力弁２７ａを閉止し排出弁２６ａを開放すると、ピストン２３ａが上昇し格納槽１３の滞留水３８が第１逆止弁３１を通過して容器２５の内部に進入する。
これと同時に、第２シリンダ２４ｂ側においては、排出弁２６ｂを閉止し入力弁２７ｂを開放することにより、第１室２１ｂ及び第２室２２ｂの内圧を高い状態に保つ。
【００２９】
次に、図３（Ｂ）に示すように、第１シリンダ２４ａ側の開閉弁４０ａを閉止し、第２シリンダ２４ｂ側の入力弁２７ｂを閉止して開閉弁４０ｂを開放すると、第２シリンダ２４ｂの第２室２２ｂの圧縮気体が一気に容器２５に流入し、保持されている滞留水が第２逆止弁３２を通過して格納槽１３の外部に排出される。
これと同時に、第２シリンダ２４ｂのピストン２３ｂは下方向に移動する。
【００３０】
次に、図３（Ｃ）に示すように、第２シリンダ２４ｂの排出弁２６ｂを開放すると、ピストン２３ｂが上昇し格納槽１３の滞留水３８が第１逆止弁３１を通過して容器２５の内部に進入する。
図３（Ｂ）と図３（Ｃ）の工程において第１シリンダ２４ａ側では、排出弁２６ａを閉止し入力弁２７ａを開放することにより、第１室２１ａ及び第２室２２ａの内圧を高い状態に保つ。
【００３１】
次に、図３（Ｄ）に示すように、第２シリンダ２４ｂ側の開閉弁４０ｂを閉止し、第１シリンダ２４ａ側の入力弁２７ａを閉止して開閉弁４０ａを開放すると、第１シリンダ２４ａの第２室２２ａの圧縮気体が一気に容器２５に流入し、保持されている滞留水が第２逆止弁３２を通過して格納槽１３の外部に排出される。
これと同時に、第１シリンダ２４ａのピストン２３ａは下方向に移動する。
【００３２】
以降、図３（Ａ）から図３（Ｄ）の工程を繰り返すことにより、滞留水３８を格納槽１３からくみ上げることができる。
このように、第２実施形態のポンプ装置２０ｂによれば、第１実施形態の効果に加え、真空装置やコンプレッサのパワーを上げることなく、滞留水３８のくみ上げ速度を向上させる効果が得られる。
【００３３】
（第３実施形態）
図４（Ａ）に示すように第３実施形態に係るポンプ装置２０ｃにおけるシリンダ２４は、第２室２２に液体を注入する配管４１が設けられている。
つまり、第１実施形態及び第２実施形態では作動媒体として空気（気体）を採用していたが、第３実施形態では作動媒体として水（液体）を採用することとする。
すなわち、本実施形態においては内部空間である第２室に液体を収容可能に構成されている。なお、図４において図１と共通の構成又は機能を有する部分は、同一符号で示し、重複する説明を省略する。
【００３４】
図４（Ａ）に示すように、第１室２１側の排出弁２６を閉止し入力弁２７を開放してピストン２３を下側に移動させた状態で、配管４１の弁を開放して第２室２２に液体を注入する。すると、図４（Ｂ）に示すように、この注入水は、第２室２２に充填された後に容器２５の内部に進入する。なお、容器２５の空気は、第２逆止弁３２を通過して格納槽１３の外部に排出される。
【００３５】
次に、図４（Ｃ）に示すように、シリンダ２４の入力弁２７を閉止し排出弁２６を開放すると、ピストン２３が上昇し格納槽１３の滞留水３８が第１逆止弁３１を通過して容器２５の内部に進入する。
次に、図４（Ｄ）に示すように、第１室２１側の排出弁２６を閉止して入力弁２７を開放すると、第１室２１が拡張されるとともに第２室２２の液体が容器２５に流入し、保持されている滞留水が第２逆止弁３２を通過して格納槽１３の外部に排出される。
【００３６】
以降、図４（Ｃ）及び図４（Ｄ）の工程を繰り返すことにより、滞留水３８を格納槽１３からくみ上げることができる。
また、第２実施形態に第３実施形態を組み合わせて実施することも可能である。
このように、第３実施形態のポンプ装置２０ｃによれば、第１実施形態の効果に加え、非圧縮性の作動媒体（液体）を使用することにより、シリンダ２４の容量を小さくすることができ、さらに滞留水３８のくみ上げを効率化させる効果が得られる。
また、特に本実施形態において第２室２２に連続的に水を供給するよう動作させることも可能である。このように動作させることで、第２室２２内に侵入する放射性物質の量を低減することもできる。
【００３７】
（第４実施形態）
図５（Ａ）に示すように第４実施形態に係るポンプ装置２０ｄは、シリンダ２４の内部空間においてピストン２３を往復運動させる駆動手段としてのはずみ車４２をさらに備えている。
図示されるはずみ車４２は、モータ駆動等により回転する円盤と、この円盤の外周の一点とピストン２３とを両端で軸支するロッドとから構成されている。
しかし、第４実施形態に適用されるはずみ車４２は、この態様に限定されるものではなく、回転運動を直線運動に変換する機構を有するものであれば適宜採用することができる。なお、図５において図１と共通の構成又は機能を有する部分は、同一符号で示し、重複する説明を省略する。
【００３８】
図５（Ａ）（Ｂ）に示すように、はずみ車４２が駆動するとピストン２３がリンダ２４の内部空間を往復運動する。
これによる、格納槽１３から滞留水３８をくみ上げる動作は、図４（Ｃ）及び図４（Ｄ）の工程の説明と同じである。
このように、第４実施形態のポンプ装置２０ｄによれば、第１実施形態及び第３実施形態の効果に加え、真空装置やコンプレッサが不要になるという効果が得られる。
【００３９】
（第５実施形態）
図６（Ａ）（Ｂ）に示すように第５実施形態に係るフィルタベントシステム１０は、ポンプ装置２０ｅが、格納槽１３の外部に設けられている。
特に、ポンプ装置２０ｅが、格納槽１３よりも下側に設けられることにより、滞留水３８が自重により、容器２５に進入し易くなる。
この場合、シリンダ２４を取り付ける前に、滞留水３８がコネクタ３３から排出されることを防止するために、コネクタ３３と容器２５を連通する配管３５に開閉弁４３を設ける必要がある。
【００４０】
図７（Ａ）（Ｂ）は、第５実施形態の変形例に係るポンプ装置２０ｆを示している。
この場合、シリンダ２４を取り付ける前に、滞留水３８がコネクタ３３から排出されることを防止するために、第１逆止弁３１が設けられている配管３６に開閉弁４４が設けられている。
なお、図６、図７において図１と共通の構成又は機能を有する部分は、同一符号で示し、重複する説明を省略する。
なお、第５実施形態における図６（Ａ）及び図６（Ｂ）並びに図７（Ａ）及び図７（Ｂ）における動作説明は、それぞれ図４（Ｃ）及び図４（Ｄ）の工程の説明と同じである。
【００４１】
以上述べた少なくともひとつの実施形態のポンプ装置によれば、ピストンとシリンダで作動媒体（気体または液体）を駆動させることにより、液体の近傍にモータを設置させずに、この液体をくみ上げることが可能となる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【００４３】
たとえば、高線量の放射性物質を含む放射能汚染液が溜まった原子炉建屋、タービン建屋、地下ピットあるいはタンク等に例示される格納槽内の放射能汚染液を別の場所へ移送しなければいけない場合においても適用可能である。
すなわち、これらの格納槽と実施形態のポンプ装置を組み合わせて格納槽に貯留された放射能汚染液をポンプ装置の第１逆流防止手段を介してポンプ装置の空間部の内部に通過させるよう構成した放射性物質貯留システムとすれば放射能汚染液を外部に移送することができる。
【符号の説明】
【００４４】
１０…フィルタベントシステム、１１…原子炉格納容器、１２…フィルタタンク、１３…格納槽、１４…原子炉圧力容器、１５…サプレッションチャンバー、１６…冷却水、１７…原子炉建屋、１９…配管、２０（２０ａ，２０ｂ，２０ｃ，２０ｄ，２０ｅ，２０ｆ）…ポンプ装置、２１（２１ａ，２１ｂ）…第１室（外部空間）、２２（２２ａ，２２ｂ）…第２室（内部空間）、２３（２３ａ，２３ｂ）…ピストン、２４（２４ａ，２４ｂ）…シリンダ、２５…容器（空間部）、２６（２６ａ，２６ｂ）…排出弁、２７（２７ａ，２７ｂ）…入力弁、３１…第１逆止弁（第１逆流防止手段）、３２…第２逆止弁（第２逆流防止手段）、３３…コネクタ、３４…フィルタ、３５…配管、３６…配管、３７…保持水、３８…滞留水、３９…配管、４０ａ，４０ｂ…開閉弁、４１…配管、４２…はずみ車、４３，４４…開閉弁。
【図１】
2016169693.tif 000003
【図２】
2016169693.tif 000004
【図３】
2016169693.tif 000005
【図４】
2016169693.tif 000006
【図５】
2016169693.tif 000007
【図６】
2016169693.tif 000008
【図７】
2016169693.tif 000009